(57)【要約】      （修正有）【課題】正面スカート部をいたずら等によって取り外すことができないマンコンベアの欄干装置を提供する。【解決手段】欄干パネルの外側に配置された外デッキと、欄干パネルの内側で、且つ、踏段の側端面に沿って立設された先端スカート部９、先端スカート部９の上面と欄干パネルとの間に配置された内デッキ７と、先端スカート部９と内デッキ７の間に介在された目地部材８と、先端スカート部９、目地部材８、内デッキ７と外デッキの先端面に配置され、裏面にスタッドボルト２１が固定された正面スカート部１０とを備えた。【選択図】図３
2006206249.tif 000002
【特許請求の範囲】
【請求項１】
移動体を挟むように配置される欄干パネルと、前記移動体の側端面に沿って立設された先端スカート部と、
前記先端スカート部の上面と欄干パネルとの間に配置されたデッキと、
前記先端スカート部及び前記デッキの先端面に配置され、裏面に締結部が固定された正面スカート部と、
を備えたことを特徴とするマンコンベアの欄干装置。
【請求項２】
前記先端スカート部は、フレームに取り付られた蝶番を介して揺動自在に支持されたことを特徴とする請求項１に記載されたマンコンベアの欄干装置。
【請求項３】
前記先端スカート部は、前記蝶番に着脱自在なフック部を有することを特徴とする請求項２に記載されたマンコンベアの欄干装置。
【請求項４】
インレットガードは、前記正面スカート部に位置調整自在に取り付けできることを特徴とする請求項１乃至請求項３のいずれか一項に記載されたマンコンベアの欄干装置。
【請求項５】
前記デッキと、前記先端スカート部と、前記デッキと前記先端スカート部の間に介在される目地部材との幅寸法は、前記デッキ＞前記目地部材＞前記先端スカート部の関係に設定されたことを特徴とする請求項１乃至請求項４のいずれか一項に記載されたマンコンベアの欄干装置。
【請求項６】
移動体の側端面に沿って立設された先端スカート部と、
前記先端スカート部の上面と欄干パネルとの間に配置されたデッキと、
前記先端スカート部及び前記デッキの先端面に配置され、裏面に嵌合部が固定された正面スカート部と、
を備えたことを特徴とするマンコンベアの欄干装置。
【発明の詳細な説明】
【技術分野】
【０００１】
本発明は、マンコンベア（乗客コンベア）の欄干装置に関し、更に詳しくは、欄干先端部箇所の構造に関する。
【背景技術】
【０００２】
マンコンベアは、連続的に連なって動く踏段と、この踏段の両側に立設された左右一対の欄干装置とを備えている。各欄干装置は、踏段に同期して移動する無限端の手摺ベルトと、この手摺ベルトをガイドする欄干パネルと、この欄干パネルの外側とコンベア設置面との間に配置された外デッキと、欄干パネルの内側で、且つ、踏段の側端面に沿って立設されたスカート部と、このスカート部の上面と欄干パネルとの間に配置された内デッキと、内デッキとスカート部の間に介在された目地部材とを備えている。欄干装置の両側の先端部では、スカート部の位置に先端スカート部が配置される。また、先端スカート部と内デッキと外デッキの先端面にできる内部スペースを塞ぐ正面スカート部が配置される（特許文献１参照）。
【０００３】
上記欄干装置の先端部における組み付けは、欄干パネルの外側位置に外デッキを組み付ける。欄干パネルの内側位置に先端スカート部、目地部材、内デッキの順に組み付ける。最後に、これらの端部の内部スペースを塞ぐように正面スカート部を配置し、正面スカート部を外面からビス止めすれば組み付けが完了する。
【特許文献１】特開２００２−３３８１８１号公報
【発明の開示】
【発明が解決しようとする課題】
【０００４】
しかしながら、前記従来例では、正面スカート部の外面よりビスの頭部が突出するため、いたずら等によって取り外される恐れがあった。
【０００５】
そこで、本発明は、正面スカート部をいたずら等によって取り外すことができないマンコンベアの欄干装置を提供することを目的とする。
【課題を解決するための手段】
【０００６】
この発明の第１の特徴は、移動体を挟むように配置される欄干パネルと、前記移動体の側端面に沿って立設された先端スカート部と、前記先端スカート部の上面と欄干パネルとの間に配置されたデッキと、前記先端スカート部及び前記デッキの先端面に配置され、裏面に締結部が固定された正面スカート部とを備えたことを要旨とする。
【０００７】
この発明の第２の特徴は、移動体の側端面に沿って立設された先端スカート部と、前記先端スカート部の上面と欄干パネルとの間に配置されたデッキと、前記先端スカート部及び前記デッキの先端面に配置され、裏面に嵌合部が固定された正面スカート部とを備えたことを要旨とする。
【発明の効果】
【０００８】
本発明によれば、正面スカート部の外面にはネジ部品が突出しない。従って、いたずら等によって正面スカート部が取り外されることがない。
【発明を実施するための最良の形態】
【０００９】
以下、本発明の実施の形態を図面に基づいて説明する。
【００１０】
図１〜図８は本発明をマンコンベアであるエスカレータの欄干装置に適用した一実施の形態を示す。図１はエスカレータ１の乗降側（内側）から見た概略側面図、図２は欄干装置２の先端部側の平面図、図３は欄干装置２の先端部側の乗降側（内側）から見た側面図、図４は欄干装置２の乗降口側からの正面図、図５（ａ）は正面スカート部１０の裏面図、図５（ｂ）は正面スカート部１０の側面図、図６は欄干装置２の先端スカート部９、目地部材８、内デッキ７を取り除いた状態の側面図、図７は図３のＡ−Ａ線断面図、図８は図３のＢ−Ｂ線断面図である。
【００１１】
図１において、エスカレータ１は、連続的に連なって動く移動体である踏段（図示せず）と、この踏段の両側に立設された左右一対の欄干装置２，（図示せず）とを備えている。各欄干装置２，（図示せず）は、踏段に同期して移動する無限端の手摺ベルト３と、この手摺ベルト３をガイドする欄干パネル４と、この欄干パネル４の外側とコンベア設置面との間に配置された外デッキ５と、欄干パネル４の内側で、且つ、踏段の側端面に沿って立設されたスカート部６と、このスカート部６の上面と欄干パネル４との間に配置された内デッキ７と、内デッキ７とスカート部６の間に介在された目地部材８とを備えている。
【００１２】
図２〜４に示すように、欄干装置２の両側の先端部では、スカート部６の位置に先端スカート部９が配置されている。また、先端スカート部９と内デッキ７と目地部材８と外デッキ５の先端面には、これらによってできる内部スペースを塞ぐ正面スカート部１０が配置されている。先端スカート部９、内デッキ７、目地部材８、外デッキ５及び正面スカート部１０は、共にトラス構造のフレーム３０に固定されている。
【００１３】
内デッキ７は、フレーム３０に固定されたブラケット（図示せず）を介して内部トラスに固定されている。
【００１４】
図６及び図７に示すように、先端スカート部９は、その裏面の下部位置の２箇所にフック部１１を有する。この各フック部１１は、各蝶番１２の他面部１２ｂに係脱自在に設けられている。各蝶番１２は、その一面部１２ａがブラケット１３，１６を介してフレーム３０に固定されている。先端スカート部９は、各フック部１１で各蝶番１２の他面部１２ｂを係止することによって、先端スカート部９を揺動できる（図７の仮想線参照）。また、先端スカート部９の先端には係止片１４が固定されている。この係止片１４は、図８に示すように、組み付け状態にあって正面スカート部１０の被係止部１５に係止される。
【００１５】
また、内デッキ７と先端スカート部９と目地部材８との幅寸法は、図３に示すように、内デッキ７＞目地部材８＞先端スカート部９の関係に設定されている。
【００１６】
図５（ａ）、（ｂ）に詳しく示すように、正面スカート部１０は、２枚のプレート１０ａ，１０ｂより構成されている。裏面側のプレート１０ｂにはスタッドボルト保持プレート２０が適所に固定されている。この裏面側のプレート１０ｂ及びスタッドボルト保持プレート２０を利用して正面スカート部１０の裏面の適所には、ネジ部であるスタッドボルト２１が固定されている。この各スタッドボルト２１は、内部トラスに固定されたブラケット１６のボルト挿通孔（図示せず）に挿入され、且つ、蝶ナット１７で締結されている。
【００１７】
また、正面プレート部１０には欄干パネル４を配置するためのパネル用スリット２２と、インレットガード用取付孔２３及びその周囲にネジ取付孔２４が形成されている。インレットガード用取付孔２３及びそのネジ取付孔２４を利用してインレットガード２５が正面パネル１０に取り付けられている。インレットガード２５は、正面スカート部１０に位置調整自在に取り付けできるようになっている。インレットガード２５は、手摺ベルト３の外周に配置されるインレットゴム２６をガードする。
【００１８】
次に、欄干装置２の先端部箇所の組み付け作業を簡単に説明する。先ず、正面スカート部１０を所定の位置に配置する。すると、正面スカート部１０の各スタッドボルト２１の先端がブラケット１６のボルト挿通孔（図示せず）に挿入される。次に、作業者がフレーム３０の内部に手を挿入して蝶ナット１７を各スタッドボルト２１にそれぞれ螺入する。次に、先端スカート部１０のフック部１１を蝶番１２の他面部１２ｂに係止する。そして、先端スカート部９を蝶番１２を支点として回転し、先端スカート部９を所定の組み付け位置（図７の実線位置）に位置させ、固定する。次に、目地部材８を先端スカート部８の上端面にはめ込む。次に、目地部材８の上端面に内デッキ７の下端面をはめ込み、且つ、このはめ込んだ内デッキ７を所定の組み付け位置（図７の実線位置）に位置させ、フレーム３０に固定すれば完了する。
【００１９】
次に、欄干装置２の先端部箇所の取り外し作業を簡単に説明する。先ず、最も端部に位置する内デッキ７を一枚取り外す。次に、最も端部に位置する目地部材８を一枚取り外す。次に、先端スカート部９を取り外す。ここで、先端スカート部９の取り外しは、下部の蝶番１２を支点として先端スカート部９を踏段側に回転する。ある程度回転させた位置で先端スカート部９を上方に持ち上げると、フック部１１が蝶番１２の他面部１２ｂから離脱し、これで完了する。これまでの作業により、欄干装置２の端部には、内デッキ７，目地部材８及び先端スカート部９の取り外しによって開口が形成される。この開口より作業者が手をフレーム３０内に挿入し、正面スカート部１０を固定している蝶ナット１７を全て取り外せば、正面スカート部１０を取り外しできる。
【００２０】
上記構成の欄干装置２では、正面スカート部１０の裏面にスタッドボルト２１が固定され、このスタッドボルト２１でフレーム３０のブラケット１６に正面スカート部１０を固定したので、正面スカート部１０の外面にはネジ部品が突出しない。従って、いたずら等によって正面スカート部１０が取り外されることがない。
【００２１】
この実施の形態では、先端スカート部９は、フレーム３０に取り付けられた蝶番１２を介して揺動自在に支持されたので、先端スカート部９の取り付け時には、蝶番１２を支点として先端スカート部９を揺動することによって組み付け位置にセットできる。先端スカート部９の取り外し時には、蝶番１２を支点として先端スカート部９を踏段側に揺動することによって先端スカート部９を取り外し位置に移動できる。従って、フレーム３０の内側下方に作業者が手や工具を挿入することなく先端スカート部９の取り付け、取り外し作業ができる。つまり、正面スカート部１０の取り付け後や組み付け状態にあって、フレーム３０の幅寸法が狭くて作業者が手や工具をフレーム３０内の下部まで挿入できない場合でも、取り付け、取り外しが可能である。
【００２２】
この実施の形態では、先端スカート部９は、その下端位置に蝶番１２に着脱自在なフック部１１を有するので、上述したように先端スカート部９を踏段側に倒し、その後に先端スカート部９のフック部１１を蝶番１２より引き抜くことによって先端スカート部９を取り外しできる。従って、先端スカート部９を容易に取り外しできる。
【００２３】
この実施の形態では、インレットガード２５は、正面スカート部１０に位置調整自在に取り付けできるので、インレットガード２５と正面スカート部１０の位置関係が部材寸法誤差等の理由により多少ずれてもインレットガード２５を正面スカート部１０に取り付けできる。
【００２４】
この実施の形態では、内デッキ７と先端スカート部９と目地部材８との幅寸法は、内デッキ７＞目地部材８＞先端スカート部９の関係に設定されたので、正面スカート部１０の取り外しを行う場合には、上述したように内デッキ７、目地部材８、先端スカート部９の順にそれぞれ１枚づつを取り外せば、正面スカート部１０を取り外すことができる。従って、正面スカート部１０の取り外しを行うまでの取り外し部材点数が少なく、正面スカート部１０の取り外し作業性が良い。
【００２５】
上記実施の形態では、正面スカート部１０の裏面にネジ部であるスタッドボルト２１を固定したが、ネジを固定しても良い。また、正面スカート部１０の裏面に、ネジ部ではなくフレーム３０への嵌合部を固定しても良い。正面スカート部１０を所定の組み付け位置に配置すると、嵌合部がフレーム３０側の被嵌合部に嵌合することによって正面スカート部１０が組み付けられる。このように構成すれば、正面スカート部１０の外面には嵌合部が露出しない。従って、いたずら等によって正面スカート部１０が取り外される可能性が低い。
【００２６】
なお、この実施の形態では、正面スカート部１０のスタッドボルト２１を締結するのに蝶ナット１７を使用しているので、工具を用いることなく締結作業、締結解除作業を行うことができ、作業性が良い。但し、通常のナットを使用しても良いことはもちろんである。
【００２７】
なお、この実施の形態では、本発明をエスカレータの欄干装置２に適用した場合を示したが、本発明は動く歩道等の欄干装置にも適用できることはもちろんである。
【図面の簡単な説明】
【００２８】
【図１】本発明の実施の形態に係るエスカレータの乗降側（内側）から見た概略側面図。
【図２】本発明の実施の形態に係る欄干装置の先端部箇所の平面図。
【図３】本発明の実施の形態に係る欄干装置の先端部箇所の乗降側（内側）から見た側面図。
【図４】本発明の実施の形態に係る欄干装置の乗降口側からの正面図。
【図５】（ａ）は本発明の実施の形態に係る正面スカート部の裏面図、図５（ｂ）はその側面図。
【図６】本発明の実施の形態に係る欄干装置の先端スカート部、目地部材、内デッキを取り除いた状態の側面図。
【図７】図３のＡ−Ａ線断面図。
【図８】図３のＢ−Ｂ線断面図。
【符号の説明】
【００２９】
１  エスカレータ（マンコンベア）
２  欄干装置
４  欄干パネル
５  外デッキ
７  内デッキ
８  目地部材
９  先端スカート部
１０  正面スカート部
１１  フック部
１２  蝶番
２１  スタッドボルト（ネジ部）
３０  フレーム
【図１】
2006206249.tif 000003
【図２】
2006206249.tif 000004
【図３】
2006206249.tif 000005
【図４】
2006206249.tif 000006
【図５】
2006206249.tif 000007
【図６】
2006206249.tif 000008
【図７】
2006206249.tif 000009
【図８】
2006206249.tif 000010